(57)【要約】【課題】制御チャネルの繰り返し数である繰り返しレベルを用いて、開始サブフレームから始まるサブフレームで送信された制御チャネルの繰り返しを検出すること。【解決手段】通信方法であって、繰り返しレベルは、第１繰り返しレベルと、第１繰り返しレベルより大きい第２繰り返しレベルとを含む、複数の繰り返しレベルのうちの一つであり、開始サブフレームは、設定された繰り返しレベルに対して定義される複数の開始サブフレームのうち、ユーザ機器に固有に構成された、所定数ごとのサブフレームから成るサブセットのうちの一つであり、第１繰り返しレベルに対して定義される複数の第１開始サブフレームのうちの一つは、第２繰り返しレベルに対して定義される複数の第２開始サブフレームのうちの一つと同じであり、複数の第２開始サブフレーム間の第２間隔は、複数の第１開始サブフレーム間の第１間隔の整数倍である。【選択図】図３
2018160930.tif 000002
【特許請求の範囲】
【請求項１】
制御チャネルの一つ以上の繰り返し数である繰り返しレベルを設定する設定部と、
設定された前記繰り返しレベルを用いて、開始サブフレームから始まる一つ以上のサブフレームで送信された前記制御チャネルの前記一つ以上の繰り返しを検出する検出部と、
を有し、
前記繰り返しレベルは、第１繰り返しレベルと、前記第１繰り返しレベルより大きい第２繰り返しレベルとを含む、複数の繰り返しレベルのうちの一つであり、
前記開始サブフレームは、設定された前記繰り返しレベルに対して定義される複数の開始サブフレームのうち、ユーザ機器に固有に構成された、所定数ごとのサブフレームから成るサブセットのうちの一つであり、
前記第１繰り返しレベルに対して定義される複数の第１開始サブフレームのうちの少なくとも一つは、前記第２繰り返しレベルに対して定義される複数の第２開始サブフレームのうちの少なくとも一つと同じであり、前記複数の第２開始サブフレーム間の第２間隔は、前記複数の第１開始サブフレーム間の第１間隔の整数倍である、
ユーザ機器。
【請求項２】
一つの以上の制御チャネルが、それぞれ、前記一つ以上のサブフレームで、繰り返して送信される、
請求項１に記載のユーザ機器。
【請求項３】
前記一つ以上のサブフレームは、前記制御チャネルの送信に使用可能な連続する下りサブフレームである、
請求項１又は２に記載のユーザ機器。
【請求項４】
前記複数の開始サブフレームのインデックスは、前記繰り返しレベルの整数倍である、
請求項１から３のいずれかに記載のユーザ機器。
【請求項５】
前記第１間隔は、前記第１繰り返しレベル以上であり、前記第２間隔は、前記第２繰り返しレベル以上である、
請求項１から４のいずれかに記載のユーザ機器。
【請求項６】
前記複数の開始サブフレームのうち、いずれの隣り合う２つの開始サブフレームは、同じ間隔を有する、
請求項１から５のいずれかに記載のユーザ機器。
【請求項７】
前記複数の開始サブフレームは、
mod(nsubframe,P)=0
で与えられ、ここで、nsubframeは前記複数の開始サブフレームであり、Pは前記複数の開始サブフレーム間の間隔である、
請求項１から６のいずれかに記載のユーザ機器。
【請求項８】
前記複数の開始サブフレームは、
mod(nsubframe,P)=0
で与えられ、ここで、nsubframeは
【数１】
2018160930.tif 000012
で表される前記複数の開始サブフレームであり、nSFNはサブフレームのインデックスであり、nSはスロットのインデックスであり、Pは前記複数の開始サブフレーム間の間隔である、
請求項１から７のいずれかに記載のユーザ機器。
【請求項９】
前記Pは、前記繰り返しレベル以上である、
請求項７又は８に記載のユーザ機器。
【請求項１０】
前記Pは、P = k*αであり、ここで、αは前記複数の繰り返しレベルに共通の整数であり、k*αは前記繰り返しレベル以上である、
請求項７から９のいずれかに記載のユーザ機器。
【請求項１１】
前記サブセットは、前記ユーザ機器のＩＤに基づいて決定される、又は、上位レイヤシグナリングによって構成される、
請求項１から１０のいずれかに記載のユーザ機器。
【請求項１２】
前記制御チャネルは、前記ユーザ機器のＩＤに基づいて決定される、又は、上位レイヤシグナリングによって構成される、コントロール・チャネル・エレメント（CCE）で送信される、
請求項１から１１のいずれかに記載のユーザ機器。
【請求項１３】
前記複数の繰り返しレベル、前記第１間隔、前記第２間隔、前記複数の第１開始サブフレーム、及び、前記複数の第２開始サブフレームのうち、少なくとも一つは、固定的に設定される、
請求項１から１２のいずれかに記載のユーザ機器。
【請求項１４】
前記複数の繰り返しレベル、前記第１間隔、前記第２間隔、前記複数の第１開始サブフレーム、及び、前記複数の第２開始サブフレームのうち、少なくとも一つは、上位レイヤシグナリングによって構成される、
請求項１から１２のいずれかに記載のユーザ機器。
【請求項１５】
制御チャネルの一つ以上の繰り返し数である繰り返しレベルを設定し、
設定された前記繰り返しレベルを用いて、開始サブフレームから始まる一つ以上のサブフレームで送信された前記制御チャネルの前記一つ以上の繰り返しを検出する、
通信方法であって、
前記繰り返しレベルは、第１繰り返しレベルと、前記第１繰り返しレベルより大きい第２繰り返しレベルとを含む、複数の繰り返しレベルのうちの一つであり、
前記開始サブフレームは、設定された前記繰り返しレベルに対して定義される複数の開始サブフレームのうち、ユーザ機器に固有に構成された、所定数ごとのサブフレームから成るサブセットのうちの一つであり、
前記第１繰り返しレベルに対して定義される複数の第１開始サブフレームのうちの少なくとも一つは、前記第２繰り返しレベルに対して定義される複数の第２開始サブフレームのうちの少なくとも一つと同じであり、前記複数の第２開始サブフレーム間の第２間隔は、前記複数の第１開始サブフレーム間の第１間隔の整数倍である、
通信方法。
【請求項１６】
制御チャネルの一つ以上の繰り返し数である繰り返しレベルを設定する処理と、
設定された前記繰り返しレベルを用いて、開始サブフレームから始まる一つ以上のサブフレームで送信された前記制御チャネルの前記一つ以上の繰り返しを検出する処理と、
を制御し、
前記繰り返しレベルは、第１繰り返しレベルと、前記第１繰り返しレベルより大きい第２繰り返しレベルとを含む、複数の繰り返しレベルのうちの一つであり、
前記開始サブフレームは、設定された前記繰り返しレベルに対して定義される複数の開始サブフレームのうち、ユーザ機器に固有に構成された、所定数ごとのサブフレームから成るサブセットのうちの一つであり、
前記第１繰り返しレベルに対して定義される複数の第１開始サブフレームのうちの少なくとも一つは、前記第２繰り返しレベルに対して定義される複数の第２開始サブフレームのうちの少なくとも一つと同じであり、前記複数の第２開始サブフレーム間の第２間隔は、前記複数の第１開始サブフレーム間の第１間隔の整数倍である、
集積回路。
【発明の詳細な説明】
【技術分野】
【０００１】
本開示は、無線通信の分野に関し、より詳細には、物理ダウンリンク制御チャネル（ＰＤＣＣＨ）または拡張ＰＤＣＣＨ（ＥＰＤＣＣＨ）を伝達する通信方法と、そのためのユーザ機器および集積回路に関する。
【背景技術】
【０００２】
マシンタイプ通信（ＭＴＣ）は、事業者にとって重要な収益源であり、事業者の観点から極めて大きな将来性を持つ。市場および事業者に求められる条件に基づいたとき、ＬＴＥ（Ｌｏｎｇ  Ｔｅｒｍ  Ｅｖｏｌｕｔｉｏｎ）におけるＭＴＣ動作には、２つの要件がある。１つは、ＭＴＣユーザ機器およびＭＴＣ通信が低コストであることであり、もう１つは、ＭＴＣユーザ機器のカバレッジを改善することである。
【０００３】
ＭＴＣのカバレッジを改善するためには、（Ｅ）ＰＤＣＣＨ（ＰＤＣＣＨまたはＥＰＤＣＣＨ）を含めた物理チャネルのほぼすべてを強化する必要がある。（Ｅ）ＰＤＣＣＨに関しては、カバレッジを改善するための主たる方法は、時間領域における繰り返しである。３ＧＰＰ（第３世代パートナーシッププロジェクト）の会合において提示されたシミュレーション結果に基づくと、（Ｅ）ＰＤＣＣＨの送信には数百の繰り返しが必要である。
【先行技術文献】
【非特許文献】
【０００４】
【非特許文献１】３ＧＰＰ  ＲＡＮ１  ３６．２１１
【非特許文献２】ＬＴＥ  ３６．２１３
【発明の概要】
【発明が解決しようとする課題】
【０００５】
上記に鑑み、本開示は、ＰＤＣＣＨまたはＥＰＤＣＣＨの繰り返しを伝達する通信方法と、そのためのユーザ機器および集積回路を提供する。
【課題を解決するための手段】
【０００６】
本開示の第１の態様においては、制御チャネルの一つ以上の繰り返し数である繰り返しレベルを設定する設定部と、設定された前記繰り返しレベルを用いて、開始サブフレームから始まる一つ以上のサブフレームで送信された前記制御チャネルの前記一つ以上の繰り返しを検出する検出部と、を有し、前記繰り返しレベルは、第１繰り返しレベルと、前記第１繰り返しレベルより大きい第２繰り返しレベルとを含む、複数の繰り返しレベルのうちの一つであり、前記開始サブフレームは、設定された前記繰り返しレベルに対して定義される複数の開始サブフレームのうち、ユーザ機器に固有に構成された、所定数ごとのサブフレームから成るサブセットのうちの一つであり、前記第１繰り返しレベルに対して定義される複数の第１開始サブフレームのうちの少なくとも一つは、前記第２繰り返しレベルに対して定義される複数の第２開始サブフレームのうちの少なくとも一つと同じであり、前記複数の第２開始サブフレーム間の第２間隔は、前記複数の第１開始サブフレーム間の第１間隔の整数倍である、ユーザ機器を提供する。
【０００７】
本開示の第２の態様においては、制御チャネルの一つ以上の繰り返し数である繰り返しレベルを設定し、設定された前記繰り返しレベルを用いて、開始サブフレームから始まる一つ以上のサブフレームで送信された前記制御チャネルの前記一つ以上の繰り返しを検出する、通信方法であって、前記繰り返しレベルは、第１繰り返しレベルと、前記第１繰り返しレベルより大きい第２繰り返しレベルとを含む、複数の繰り返しレベルのうちの一つであり、前記開始サブフレームは、設定された前記繰り返しレベルに対して定義される複数の開始サブフレームのうち、ユーザ機器に固有に構成された、所定数ごとのサブフレームから成るサブセットのうちの一つであり、前記第１繰り返しレベルに対して定義される複数の第１開始サブフレームのうちの少なくとも一つは、前記第２繰り返しレベルに対して定義される複数の第２開始サブフレームのうちの少なくとも一つと同じであり、前記複数の第２開始サブフレーム間の第２間隔は、前記複数の第１開始サブフレーム間の第１間隔の整数倍である、通信方法を提供する。
【０００８】
本開示の第３の態様においては、制御チャネルの一つ以上の繰り返し数である繰り返しレベルを設定する処理と、設定された前記繰り返しレベルを用いて、開始サブフレームから始まる一つ以上のサブフレームで送信された前記制御チャネルの前記一つ以上の繰り返しを検出する処理と、を制御し、前記繰り返しレベルは、第１繰り返しレベルと、前記第１繰り返しレベルより大きい第２繰り返しレベルとを含む、複数の繰り返しレベルのうちの一つであり、前記開始サブフレームは、設定された前記繰り返しレベルに対して定義される複数の開始サブフレームのうち、ユーザ機器に固有に構成された、所定数ごとのサブフレームから成るサブセットのうちの一つであり、前記第１繰り返しレベルに対して定義される複数の第１開始サブフレームのうちの少なくとも一つは、前記第２繰り返しレベルに対して定義される複数の第２開始サブフレームのうちの少なくとも一つと同じであり、前記複数の第２開始サブフレーム間の第２間隔は、前記複数の第１開始サブフレーム間の第１間隔の整数倍である、集積回路を提供する。
【０００９】
本発明の上記の態様によると、異なる繰り返し回数におけるリソースがブロックされる確率と、ユーザ機器の検出処理の複雑さと、ｅＮＢのスケジューリング処理の複雑さとを、低減することができる。
【００１０】
上記は本開示の要約であり、したがって当然ながら、細部については単純化、一般化、および省略されている。本発明の装置、プロセス、その他の主題の上記以外の態様、特徴、および利点は、本明細書に記載されている教示内容から明らかになるであろう。
【００１１】
上記の要約は、本開示の重要な発想を簡略的に紹介することを目的としており、これらの発想については、発明を実施するための形態のセクションでさらに説明する。上記の要約は、特許請求の範囲に記載された主題の重要な特徴または本質的な特徴を識別することを目的とするものではなく、特許請求の範囲に記載された主題の範囲を判断する目的で使用されるものでもない。
【００１２】
本開示の上記の特徴および上記以外の特徴は、以下の説明および添付の「特許請求の範囲」を添付の図面を参照しながら読み進めることによって、さらに完全に明らかになるであろう。
【００１３】
なお、これらの図面は、本開示によるいくつかの実施形態を示しているにすぎず、したがってこれらの図面は、本開示の範囲を制限するものとはみなされないことを理解されたい。以下では、本開示について、添付の図面を使用することによってさらに具体的かつ詳細に説明する。
【図面の簡単な説明】
【００１４】
【図１】（Ｅ）ＰＤＣＣＨの繰り返しを送信する解決策におけるサブフレームの例示的な割当てを示している。
【図２】本開示の一実施形態による、ｅＮＢ側における無線通信方法を示している。
【図３】本開示の一実施形態による、（Ｅ）ＰＤＣＣＨの繰り返しを送信するためのサブフレームの例示的な割当てを示している。
【図４】本開示の一実施形態によるｅＮＢを示しているブロック図である。
【図５】本開示の一実施形態による、ユーザ機器側における無線通信方法を示している。
【図６】本開示の一実施形態によるユーザ機器を示しているブロック図である。
【図７】本開示の別の実施形態による、（Ｅ）ＰＤＣＣＨの繰り返しを送信するためのサブフレームの例示的な割当てを示している。
【図８】本開示のさらに別の実施形態による、（Ｅ）ＰＤＣＣＨの繰り返しを送信するためのサブフレームの例示的な割当てを示している。
【図９】本開示の一実施形態による、複数の異なるユーザ機器を対象とする、サブフレームおよび（Ｅ）ＣＣＥセットの例示的な割当てを示している。
【発明を実施するための形態】
【００１５】
以下の詳細な説明においては、添付の図面を参照し、これらの図面は説明の一部を形成している。図面においては、特に明記しない限り、基本的に、類似する記号は類似する要素を表している。なお、本開示の態様は、さまざまな異なる構造・構成に配置する、置き換える、組み合わせる、設計することができ、そのような態様すべては明示的に意図されたものであり本開示の一部を形成することが、容易に理解されるであろう。
【００１６】
なお、本開示の実施形態はＭＴＣに関連して説明されているが、本開示は、（Ｅ）ＰＤＣＣＨの繰り返しを必要とする任意の通信に適用できることに留意されたい。
【００１７】
さまざまなカバレッジ要件を満たす目的で、複数の繰り返しレベルがサポートされる一方で、各繰り返しレベルは、（Ｅ）ＰＤＣＣＨの整数の繰り返し回数に一致する（したがって本開示において繰り返しレベルは繰り返し回数とも称する）。（Ｅ）ＰＤＣＣＨの繰り返しは、１つのＤＣＩ（ダウンリンク制御情報）を伝える信号を送信する。繰り返しそれぞれが１つのサブフレームにおいて送信され、したがって、（Ｅ）ＰＤＣＣＨの数百の繰り返しが、数百の集中的なサブフレームにおいて送信される。
【００１８】
ＭＴＣモードにおけるＭＴＣユーザ機器または通常のユーザ機器は、ＭＴＣ−（Ｅ）ＰＤＣＣＨの繰り返しを受信してそれらを組み合わせて、送信されたＤＣＩの内容を取得する必要がある。受信するとき、（Ｅ）ＰＤＣＣＨの繰り返しの開始サブフレームをユーザ機器が認識していない場合、（Ｅ）ＰＤＣＣＨの繰り返しを整合的に組み合わせることは不可能である。ＭＴＣユーザ機器において開始サブフレームをブラインド検出することは極めて複雑であり受信コストが増大し、このことはＭＴＣに求められる低コストという要件に反する。
【００１９】
上記の問題の１つの解決策は、ユーザ機器が開始サブフレームを認識して（Ｅ）ＰＤＣＣＨを正しく検出できるように、（Ｅ）ＰＤＣＣＨの開始サブフレームをユーザ機器にシグナリングすることである。この解決策では追加のシグナリングが必要であり、さらにこのシグナリングは、（Ｅ）ＰＤＣＣＨが受信される前に受信される必要がある。（Ｅ）ＰＤＣＣＨを正しく復号するための前提条件は、このシグナリングを正しく受信することである。このような２つのステップによる（Ｅ）ＰＤＣＣＨ送信方式は、（Ｅ）ＰＤＣＣＨの送信の堅牢性に影響を与えうる。
【００２０】
別の解決策は、（Ｅ）ＰＤＣＣＨの開始サブフレームを、開始サブフレームのセット（開始サブフレームセットとも称する）に含めることである。開始サブフレームセットの中の開始サブフレームのサブフレームインデックスは、ｍｏｄ（ｎｓｕｂｆｒａｍｅ，ｒ）＝０を満たし、この式において、ｎｓｕｂｆｒａｍｅはサブフレームインデックスであり、ｒは（Ｅ）ＰＤＣＣＨの繰り返し回数である。
【００２１】
なお本開示において、「サブフレームインデックス」は、１ＳＦＮ（システムフレーム番号）周期（１０２４０ｍｓ）内のサブフレームインデックスである。この解決策を使用することによって、各繰り返しレベルの開始サブフレームセットには、繰り返し回数の整数倍であるインデックスを有するサブフレームが含まれる。各繰り返しレベルの繰り返し回数は、主としてカバレッジの改善特性によって決まる。しかしながら、この解決策では、リソースがブロックされる確率が高まることがある。
【００２２】
図１は、この解決策におけるサブフレームの例示的な割当てを示しており、ここでは、２つの（Ｅ）ＰＤＣＣＨ（第１の（Ｅ）ＰＤＣＣＨおよび第２の（Ｅ）ＰＤＣＣＨ）を送信するための３つの繰り返しレベル（繰り返し回数ｒ１，ｒ２，ｒ３）を示している。
【００２３】
図１に示したように、繰り返し回数ｒ２の１つの（Ｅ）ＰＤＣＣＨが第２の（Ｅ）ＰＤＣＣＨの位置において点線の枠内に示すように送信される場合、繰り返し回数ｒ３の第１の（Ｅ）ＰＤＣＣＨおよび第２の（Ｅ）ＰＤＣＣＨの両方の位置が点線の枠内に示すようにブロックされることがあり、別の（Ｅ）ＰＤＣＣＨにスケジューリングすることができない。
【００２４】
本開示は、リソースがブロックされる確率を減少させる目的で、改良されたいくつかの解決策を提供し、以下ではこれらの解決策について、いくつかの実施形態を通じて説明する。
【００２５】
（第１の実施形態）
第１の実施形態においては、図２に示した、ｅＮｏｄｅＢによって実行される、ＰＤＣＣＨまたはＥＰＤＣＣＨを送信する無線通信方法２００、を提供する。本方法は、ＭＴＣに適用されることが好ましいが、（Ｅ）ＰＤＣＣＨの繰り返しを必要とする任意の通信に適用することができる。本方法は、送信繰り返し回数および送信開始サブフレームを使用して、ＰＤＣＣＨまたはＥＰＤＣＣＨの多数の繰り返しを、それぞれ多数の連続するダウンリンクサブフレームにおいて送信するステップ２０１、を含む。
【００２６】
本明細書においては、「連続するダウンリンクサブフレーム」という用語は、時間領域において２つの連続するダウンリンクサブフレームの間に別のダウンリンクサブフレームは存在しないが、これらの間にアップリンクサブフレームは存在してもよいことを意味する。例えば、ＦＤＤ（周波数分割複信）の場合、１つのフレーム内の１０個のサブフレームすべてをダウンリンクに使用することができ、したがって「連続するダウンリンクサブフレーム」は、連続するサブフレームと同じ意味である。
【００２７】
ＴＤＤ（時分割複信）の場合、非特許文献１の規格によると、１つのフレーム内に１０個のサブフレームが存在する。これらのサブフレームのいくつかはアップリンク信号を送信するためのアップリンクサブフレームであり、いくつかはダウンリンク信号を送信するためのダウンリンクサブフレームであり、これらのサブフレームは、（非特許文献１からの）次表１によって設定されている。
【００２８】
【表１】
2018160930.tif 000003
【００２９】
表１において、２つのダウンリンクサブフレームの間に、たとえアップリンクサブフレームが存在していてもダウンリンクサブフレームが存在しなければ、その２つのダウンリンクサブフレームを「連続するダウンリンクサブフレーム」と称することができる。
【００３０】
例えば、表１の構成０が採用されており、サブフレーム番号１（「Ｓ」サブフレーム）がダウンリンクのＰＤＣＣＨまたはＥＰＤＣＣＨ送信用に設定されていない場合、サブフレーム番号０とサブフレーム番号５は、連続するダウンリンクサブフレームである。
【００３１】
しかしながら、構成０におけるサブフレーム番号１の「Ｓ」サブフレームがダウンリンク用に設定されている場合、サブフレーム番号０とサブフレーム番号５は、ダウンリンクサブフレーム番号１が存在しているため、連続するダウンリンクサブフレームとはみなされない。
【００３２】
この第１の実施形態による方法においては、送信繰り返し回数は、少なくとも、第１の繰り返し回数と、第１の繰り返し回数よりも大きい第２の繰り返し回数とからなる、繰り返し回数セット、から選択される。したがって、それぞれ異なる繰り返し回数に対応する少なくとも２つの繰り返しレベルを、（Ｅ）ＰＤＣＣＨの繰り返しを送信するための送信繰り返し回数として選択することができる。繰り返し回数または送信繰り返し回数とは、１つの（Ｅ）ＰＤＣＣＨを、連続するダウンリンクサブフレームにおいて何回繰り返して送信するかを意味する。
【００３３】
この第１の実施形態によると、送信繰り返し回数として第１の繰り返し回数が選択されているときには、送信開始サブフレームは、第１の繰り返し回数に対応する第１の開始サブフレームセットから選択することができ、送信繰り返し回数として第２の繰り返し回数が選択されているときには、送信開始サブフレームは、第２の繰り返し回数に対応する第２の開始サブフレームセットから選択することができる。
【００３４】
このとき、各繰り返し回数（または繰り返しレベル）ごとに、対応する開始サブフレームセットが存在し、特定の繰り返し回数が選択されているとき、（Ｅ）ＰＤＣＣＨの多数の繰り返しの送信が開始される送信開始サブフレームは、その選択されている特定の繰り返し回数に対応する開始サブフレームセットから選択される。
【００３５】
したがって、ユーザ機器側では、ユーザ機器は、送信開始サブフレームを求めるために開始サブフレームセットの中のサブフレームを検出するのみでよく、したがって、ユーザ機器側における検出処理の複雑さを低減することができる。
【００３６】
この第１の実施形態によると、第１の開始サブフレームセットの中の任意の２つの隣り合う開始サブフレームのサブフレームインデックスは、同じ第１のインデックス間隔だけ隔てられており、第２の開始サブフレームセットの中の任意の２つの隣り合う開始サブフレームのサブフレームインデックスは、同じ第２のインデックス間隔だけ隔てられており、第２のインデックス間隔が、第１のインデックス間隔の整数倍であり、第１の開始サブフレームセットの中の少なくとも１つのサブフレームのサブフレームインデックスが、第２の開始サブフレームセットの中の１つのサブフレームのサブフレームインデックスと同じであり、第１の開始サブフレームセットの中の任意の開始サブフレームから次の開始サブフレームまでのダウンリンクサブフレームの数が、第１の繰り返し回数より小さくなく、第２の開始サブフレームセットの中の任意の開始サブフレームから次の開始サブフレームまでのダウンリンクサブフレームの数が、第２の繰り返し回数より小さくない。
【００３７】
上述したように、本開示においては、「サブフレームインデックス」とは、１ＳＦＮ周期内のサブフレームインデックスである。第１の開始サブフレームセットおよび第２の開始サブフレームセットそれぞれにおいて、開始サブフレーム候補は均一に分布しており、すなわち、２つの隣り合う候補の間のインデックス差は、その開始サブフレームセット全体にわたり同じである。
【００３８】
例えば、図３に示したように、第１の繰り返し回数ｒ１に対応する第１の開始サブフレームセットの中のサブフレームのサブフレームインデックスを、０，１００，２００，３００，４００，５００，６００，・・・とすることができ、第２の繰り返し回数ｒ２に対応する第２の開始サブフレームセットの中のサブフレームのサブフレームインデックスを、０，２００，４００，６００，・・・とすることができる。
【００３９】
さらに、第２のインデックス間隔は、第１のインデックス間隔の整数倍である。図３の例では、第１のインデックス間隔ｒ１が１００であり、第２のインデックス間隔ｒ２が２００であり、したがって第２のインデックス間隔は第１のインデックス間隔の２倍である。
【００４０】
これに加えて、第１の開始サブフレームセットと第２の開始サブフレームセットとを整列させる目的で、第１の開始サブフレームセットの中の少なくとも１つのサブフレームのサブフレームインデックスは、第２の開始サブフレームセットの中の１つのサブフレームのサブフレームインデックスと同じである。図３の例では、少なくともサブフレームインデックス「０」、「２００」、「４００」、および「６００」は、第１の開始サブフレームセットの中と第２の開始サブフレームセットの中の両方に存在する。
【００４１】
さらには、１つの開始サブフレームを先頭とする多数の連続するダウンリンクサブフレームに割り当てられる（Ｅ）ＰＤＣＣＨの多数の繰り返しが、次の開始サブフレームに重ならないようにする目的で、第１の開始サブフレームセットまたは第２の開始サブフレームセットの中の任意の開始サブフレームから次の開始サブフレームまでのダウンリンクサブフレームの数は、第１の繰り返し回数または第２の繰り返し回数よりも小さくない。
【００４２】
特に、ＦＤＤの場合、任意の開始サブフレームから次の開始サブフレームまでのダウンリンクサブフレームの数は、対応するインデックス間隔に等しく、なぜなら、ＦＤＤにおいてはすべてのサブフレームをダウンリンクに使用することができるためである。
【００４３】
しかしながら、ＴＤＤの場合、任意の開始サブフレームから次の開始サブフレームまでのダウンリンクサブフレームの数は、対応するインデックス間隔より小さく、なぜなら、ＴＤＤにおいてはいくつかのサブフレームをアップリンクに使用する必要があり、ダウンリンクサブフレームの数を数えるときにそれらのアップリンクサブフレームを除外するためである。
【００４４】
なお、特定の開始サブフレームから次の開始サブフレームまでのダウンリンクサブフレームの数を数えるとき、その特定の開始サブフレームは含めるが、次の開始サブフレームは含めないことに留意されたい。例えば、図３において、第１の開始サブフレームセット（上段）の中のインデックス「０」のサブフレームからインデックス「１００」のサブフレームまでのダウンリンクサブフレームの数を数えるとき、インデックス「０」のサブフレームは含めるが、インデックス「１００」のサブフレームは除外する。
【００４５】
第１の開始サブフレームセットおよび第２の開始サブフレームセットが、第１の実施形態に従って上記のように構築されているときには、より小さい繰り返し回数（この例では第１の繰り返し回数）の１つの（Ｅ）ＰＤＣＣＨが、より大きい繰り返し回数（この例では第２の繰り返し回数）の１つの（Ｅ）ＰＤＣＣＨの位置をブロックするのみであり、なぜなら、より大きい繰り返し回数に対応する開始サブフレームのインデックス間隔が、より小さい繰り返し回数に対応する開始サブフレームのインデックス間隔の整数倍であり、これら２つの繰り返し回数に対応する開始サブフレーム候補が、互いに整列しているためである。
【００４６】
図３に示したように、繰り返し回数ｒ１の任意の（Ｅ）ＰＤＣＣＨは、繰り返し回数ｒ２の１つの（Ｅ）ＰＤＣＣＨの位置を占有するのみである。結果として、この第１の実施形態によると、リソースがブロックされる確率を減少させることができる。
【００４７】
なお、本開示によると、繰り返し回数および対応する開始サブフレームセットの数を２よりも大きくすることができることに留意されたい。この場合、すべての開始サブフレームセットのうち少なくとも２つの開始サブフレームセットは、本開示による定義を満たしている必要がある。
【００４８】
すべての開始サブフレームセットのうちの任意の２つの開始サブフレームセットが、本開示による定義を満たしていることが好ましい。このことは、本開示のすべての実施形態にあてはまる。
【００４９】
この第１の実施形態によると、一例として、第１の開始サブフレームセットもしくは第２の開始サブフレームセットまたはその両方を、次のように数式（１）を使用して構築することができる。
【００５０】
ｍｏｄ（ｎｓｕｂｆｒａｍｅ，Ｐ）＝０    ・・・（１）
この式において、ｎｓｕｂｆｒａｍｅは、第１の開始サブフレームセットまたは第２の開始サブフレームセットの中の開始サブフレーム候補として選択される、上述したサブフレームインデックスであり、Ｐは、第１の開始サブフレームセットまたは第２の開始サブフレームセットの中の２つの隣り合うサブフレームの間のインデックス間隔である。
【００５１】
Ｐは、開始サブフレームセットの中の任意の開始サブフレームから次の開始サブフレームまでのダウンリンクサブフレームの数が、対応する繰り返し回数ｒよりも小さくないという条件を満たす、任意の正の整数とすることができる。特に、ＦＤＤの場合、上の条件は、Ｐ≧ｒと表すことができる。
【００５２】
これに加えて、Ｐ１およびＰ２がそれぞれ第１の開始サブフレームセットおよび第２の開始サブフレームセット中のＰを表す場合、Ｐ２はＰ１の整数倍である必要がある。繰り返し回数ｒの場合に、上の式（１）を満たすサブフレームインデックスｎｓｕｂｆｒａｍｅに対応するサブフレームが、その繰り返し回数ｒに対応する開始サブフレームセットを構成する。２つの好ましい例として、Ｐをｋ＊αとすることができ、このとき式（１）は
【００５３】
ｍｏｄ（ｎｓｕｂｆｒａｍｅ，ｋ＊α）＝０    ・・・（２）
となり、または、Ｐをαｋとすることができ、このとき式（１）は
【００５４】
ｍｏｄ（ｎｓｕｂｆｒａｍｅ，αｋ）＝０    ・・・（３）
となる。
【００５５】
これらの式において、αは、考慮する複数の異なる繰り返しレベルに共通である１よりも大きい任意の正の整数であり、ｋは、繰り返しレベルに固有なパラメータであって、開始サブフレームセットの中の任意の開始サブフレームから次の開始サブフレームまでのダウンリンクサブフレームの数が対応する繰り返し回数ｒよりも小さくないという条件を満たす（特にＦＤＤの場合、ｋ＊α≧ｒまたはαｋ≧ｒを満たす）正の整数である。
【００５６】
上の式（３）は特に有利であり、なぜなら、すべての利用可能な繰り返し回数において、特定の繰り返し回数に対応する開始サブフレームのインデックス間隔は、その特定の繰り返し回数より小さい繰り返し回数に対応する開始サブフレームのインデックス間隔の整数倍であるためである。上の式において、ｎｓｕｂｆｒａｍｅは、例えば、
【００５７】
【数１】
2018160930.tif 000004
と表すことができ、この式において、ｎｓは１つの無線フレーム内のスロットインデックスであり、ｎＳＦＮは１ＳＦＮ周期内のフレームインデックスである。
【００５８】
具体的な例として、上の式（２）の場合、αを５とすることができる。この例は、ＴＤＤの場合に特に有利である。前出の表１から理解できるように、ＴＤＤにおけるすべてのアップリンク−ダウンリンク構成において、サブフレーム番号０およびサブフレーム番号５は、つねに、（Ｅ）ＰＤＣＣＨを送信するために使用できるダウンリンクサブフレームである。したがって、この例を使用することによって、計算される開始サブフレームはつねにダウンリンクサブフレームである。
【００５９】
本開示においては、繰り返し回数セット、第１のインデックス間隔、第２のインデックス間隔、第１の開始サブフレームセット、第２の開始サブフレームセット、のうちの１つまたは複数を、固定的に指定することができる、または、繰り返し回数セット、第１のインデックス間隔、第２のインデックス間隔、第１の開始サブフレームセット、第２の開始サブフレームセット、のうちの１つまたは複数に関する情報を、上位層シグナリング（例えばＲＲＣシグナリングやＭＡＣシグナリング）によって設定することができる。
【００６０】
ユーザ機器は、これらの情報のすべてまたは一部が通知されたとき、第１の開始サブフレームセットまたは第２の開始サブフレームセットのみの中のサブフレームを検出することで、送信開始サブフレームを求めることができる。これに加えて、物理層シグナリングまたは上位層シグナリングによって送信繰り返し回数を伝えることができる。
【００６１】
さらには、本開示により提案する解決策によって、ユーザ機器は、（Ｅ）ＰＤＣＣＨを受信する必要のないサブフレームにおいて、電池を節約するためにＤＲＸ（不連続受信）に入ることができ、これは有利である。このことは、他の実施形態にも適用することができる。
【００６２】
この第１の実施形態においては、上の方法を実行するｅＮＢを提供する。図４は、本開示の一実施形態による、ＰＤＣＣＨまたはＥＰＤＣＣＨを送信するｅＮＢ４００を示しているブロック図である。
【００６３】
ｅＮＢ４００は、送信繰り返し回数および送信開始サブフレームを使用して、ＰＤＣＣＨまたはＥＰＤＣＣＨの多数の繰り返しを、それぞれ多数の連続するダウンリンクサブフレームにおいて送信するように構成されている送信ユニット４０１、を備えており、送信繰り返し回数は、少なくとも、第１の繰り返し回数と、第１の繰り返し回数より大きい第２の繰り返し回数とからなる、繰り返し回数セット、から選択され、送信繰り返し回数として第１の繰り返し回数が選択されているときには、送信開始サブフレームは、第１の繰り返し回数に対応する第１の開始サブフレームセットから選択され、送信繰り返し回数として第２の繰り返し回数が選択されているときには、送信開始サブフレームは、第２の繰り返し回数に対応する第２の開始サブフレームセットから選択され、第１の開始サブフレームセットの中の任意の２つの隣り合う開始サブフレームのサブフレームインデックスは、同じ第１のインデックス間隔だけ隔てられており、第２の開始サブフレームセットの中の任意の２つの隣り合う開始サブフレームのサブフレームインデックスは、同じ第２のインデックス間隔だけ隔てられており、第２のインデックス間隔が、第１のインデックス間隔の整数倍であり、第１の開始サブフレームセットの中の少なくとも１つのサブフレームのサブフレームインデックスが、第２の開始サブフレームセットの中の１つのサブフレームのサブフレームインデックスと同じであり、第１の開始サブフレームセットの中の任意の開始サブフレームから次の開始サブフレームまでのダウンリンクサブフレームの数が、第１の繰り返し回数より小さくなく、第２の開始サブフレームセットの中の任意の開始サブフレームから次の開始サブフレームまでのダウンリンクサブフレームの数が、第２の繰り返し回数より小さくない。
【００６４】
本開示によるｅＮＢ４００は、オプションとして以下の要素、すなわち、ｅＮＢ４００の中でさまざまなデータを処理し各ユニットの動作を制御するための関連するプログラムを実行するＣＰＵ（中央処理装置）４１０と、ＣＰＵ４１０によってさまざまなプロセスおよび制御を実行するために必要なさまざまなプログラムを格納するＲＯＭ（読み出し専用メモリ）４１３と、ＣＰＵ４１０によるプロセスおよび制御の手順において一時的に作成される中間データを格納するＲＡＭ（ランダムアクセスメモリ）４１５と、さまざまなプログラムやデータなどを格納する記憶装置４１７、のうちの１つまたは複数を含むことができる。
【００６５】
上記の送信ユニット４０１、ＣＰＵ４１０、ＲＯＭ４１３、ＲＡＭ４１５、記憶装置４１７などは、データ／命令バス４２０を介して相互に接続し、互いの間で信号を伝送することができる。
【００６６】
上述した各ユニットは、本開示の範囲を限定するものではない。本開示の一実施例によると、上記の送信ユニット４０１の機能を、ハードウェアによって実施することができ、上記のＣＰＵ４１０、ＲＯＭ４１３、ＲＡＭ４１５、記憶装置４１７、のうちの１つまたは複数は、必要ないことがある。これに代えて、上記の送信ユニット４０１の機能を、上記のＣＰＵ４１０、ＲＯＭ４１３、ＲＡＭ４１５、記憶装置４１７などのうちの１つまたは複数と組み合わせて、機能ソフトウェアによって実施することもできる。
【００６７】
これに対応して、ユーザ機器側では、この第１の実施形態を、図５に示すように、ユーザ機器によって実行される、ｅＮｏｄｅＢから送信されるＰＤＣＣＨまたはＥＰＤＣＣＨを検出する無線通信方法５００、として実施することができる。
【００６８】
無線通信方法５００は、送信繰り返し回数および送信開始サブフレームを使用して、それぞれｅＮｏｄｅＢから多数の連続するダウンリンクサブフレームにおいて送信されるＰＤＣＣＨまたはＥＰＤＣＣＨの多数の繰り返し、を検出するステップ５０１、を含み、送信繰り返し回数は、少なくとも、第１の繰り返し回数と、第１の繰り返し回数より大きい第２の繰り返し回数とからなる、繰り返し回数セット、から選択され、送信繰り返し回数として第１の繰り返し回数が選択されているときには、送信開始サブフレームは、第１の繰り返し回数に対応する第１の開始サブフレームセットから選択され、送信繰り返し回数として第２の繰り返し回数が選択されているときには、送信開始サブフレームは、第２の繰り返し回数に対応する第２の開始サブフレームセットから選択され、第１の開始サブフレームセットの中の任意の２つの隣り合う開始サブフレームのサブフレームインデックスは、同じ第１のインデックス間隔だけ隔てられており、第２の開始サブフレームセットの中の任意の２つの隣り合う開始サブフレームのサブフレームインデックスは、同じ第２のインデックス間隔だけ隔てられており、第２のインデックス間隔が、第１のインデックス間隔の整数倍であり、第１の開始サブフレームセットの中の少なくとも１つのサブフレームのサブフレームインデックスが、第２の開始サブフレームセットの中の１つのサブフレームのサブフレームインデックスと同じであり、第１の開始サブフレームセットの中の任意の開始サブフレームから次の開始サブフレームまでのダウンリンクサブフレームの数が、第１の繰り返し回数より小さくなく、第２の開始サブフレームセットの中の任意の開始サブフレームから次の開始サブフレームまでのダウンリンクサブフレームの数が、第２の繰り返し回数より小さくない。
【００６９】
これに加えて、第１の実施形態においては、ユーザ機器側における上記の方法を実行するユーザ機器、をさらに提供する。図６は、本開示の一実施形態による、ｅＮｏｄｅＢから送信されるＰＤＣＣＨまたはＥＰＤＣＣＨを検出するユーザ機器６００、を示しているブロック図である。
【００７０】
ユーザ機器６００は、送信繰り返し回数および送信開始サブフレームを使用して、それぞれｅＮｏｄｅＢから多数の連続するダウンリンクサブフレームにおいて送信されるＰＤＣＣＨまたはＥＰＤＣＣＨの多数の繰り返し、を検出するように構成されている検出ユニット６０１、を備えており、送信繰り返し回数は、少なくとも、第１の繰り返し回数と、第１の繰り返し回数より大きい第２の繰り返し回数とからなる、繰り返し回数セット、から選択され、送信繰り返し回数として第１の繰り返し回数が選択されているときには、送信開始サブフレームは、第１の繰り返し回数に対応する第１の開始サブフレームセットから選択され、送信繰り返し回数として第２の繰り返し回数が選択されているときには、送信開始サブフレームは、第２の繰り返し回数に対応する第２の開始サブフレームセットから選択され、第１の開始サブフレームセットの中の任意の２つの隣り合う開始サブフレームのサブフレームインデックスは、同じ第１のインデックス間隔だけ隔てられており、第２の開始サブフレームセットの中の任意の２つの隣り合う開始サブフレームのサブフレームインデックスは、同じ第２のインデックス間隔だけ隔てられており、第２のインデックス間隔が、第１のインデックス間隔の整数倍であり、第１の開始サブフレームセットの中の少なくとも１つのサブフレームのサブフレームインデックスが、第２の開始サブフレームセットの中の１つのサブフレームのサブフレームインデックスと同じであり、第１の開始サブフレームセットの中の任意の開始サブフレームから次の開始サブフレームまでのダウンリンクサブフレームの数が、第１の繰り返し回数より小さくなく、第２の開始サブフレームセットの中の任意の開始サブフレームから次の開始サブフレームまでのダウンリンクサブフレームの数が、第２の繰り返し回数より小さくない。
【００７１】
本開示によるユーザ機器６００は、オプションとして以下の要素、すなわち、ユーザ機器６００の中でさまざまなデータを処理し各ユニットの動作を制御するための関連するプログラムを実行するＣＰＵ（中央処理装置）６１０と、ＣＰＵ６１０によってさまざまなプロセスおよび制御を実行するために必要なさまざまなプログラムを格納するＲＯＭ（読み出し専用メモリ）６１３と、ＣＰＵ６１０によるプロセスおよび制御の手順において一時的に作成される中間データを格納するＲＡＭ（ランダムアクセスメモリ）６１５と、さまざまなプログラムやデータなどを格納する記憶装置６１７、のうちの１つまたは複数を含むことができる。
【００７２】
上記の検出ユニット６０１、ＣＰＵ６１０、ＲＯＭ６１３、ＲＡＭ６１５、記憶装置６１７などのうちの１つまたは複数は、データ／命令バス６２０を介して相互に接続し、互いの間で信号を伝送することができる。
【００７３】
上述した各ユニットは、本開示の範囲を限定するものではない。本開示の一実施例によると、上記の検出ユニット６０１の機能を、ハードウェアによって実施することができ、上記のＣＰＵ６１０、ＲＯＭ６１３、ＲＡＭ６１５、記憶装置６１７、のうちの１つまたは複数は、必要ないことがある。これに代えて、上記の検出ユニット６０１の機能を、上記のＣＰＵ６１０、ＲＯＭ６１３、ＲＡＭ６１５、記憶装置６１７などのうちの１つまたは複数と組み合わせて、機能ソフトウェアによって実施することもできる。
【００７４】
上述したように、本発明の第１の実施形態によると、異なる繰り返し回数におけるリソースがブロックされる確率と、ユーザ機器の検出処理の複雑さと、ｅＮＢのスケジューリング処理の複雑さとを、低減することができる。
【００７５】
（第２の実施形態）
本開示の第２の実施形態は、第１の実施形態をさらに改善するものであり、第１の実施形態に関する説明すべては、特に明記していない限り、第２の実施形態にも適用することができる。
【００７６】
第２の実施形態においては、第１の開始サブフレームセットもしくは第２の開始サブフレームセットまたはその両方それぞれを、開始サブフレームの複数のサブセットに分割することができ、開始サブフレームサブセットそれぞれは、１基または複数基のユーザ機器からなる１つの特定のユーザ機器セットにＰＤＣＣＨまたはＥＰＤＣＣＨの繰り返しを送信する目的専用である。
【００７７】
ｅＮＢの側では、すべてのユーザ機器を対象とする開始サブフレームセットを、第１の実施形態に従って、例えば式（１）によって決定することができる。しかしながら、複数の異なるユーザ機器セットを対象として、開始サブフレームセットから異なる開始サブフレーム候補を選択して、それぞれが１つのユーザ機器セットに専用である各開始サブフレームサブセットを形成することができる。
【００７８】
このような方法では、各ユーザ機器は、自身に専用の開始サブフレームサブセットの中の開始サブフレーム候補を検出するのみでよいため、各ユーザ機器のブラインド検出回数が減少する。
【００７９】
図７は、（Ｅ）ＰＤＣＣＨの繰り返しを送信するための例示的なサブフレーム割当てを示しており、上段は、すべてのユーザ機器を対象とする開始サブフレームセットであり、このセットにおける開始サブフレーム候補は、インデックス０，１００，２００，３００，４００，５００，６００，７００，・・・のサブフレームである。
【００８０】
中段および下段は、サブセットに分割する２つの方法（サブセット分割１およびサブセット分割２）を示している。中段においては、開始サブフレームセットが、それぞれ１つのユーザ機器セットに専用である４つのサブセットに分割されている。
【００８１】
図７に例示的に示したように、インデックス０，４００，・・・のサブフレームが開始サブフレームサブセット＃１を構成し、インデックス１００，５００，・・・のサブフレームが開始サブフレームサブセット＃２を構成し、インデックス２００，６００，・・・のサブフレームが開始サブフレームサブセット＃３を構成し、インデックス３００，７００，・・・のサブフレームが開始サブフレームサブセット＃４を構成している。
【００８２】
下段においては、開始サブフレームセットが２つのサブセットに分割されている。インデックス０，２００，４００，６００，・・・のサブフレームが開始サブフレームサブセット＃１を構成し、インデックス１００，３００，５００，７００，・・・のサブフレームが開始サブフレームサブセット＃２を構成している。
【００８３】
第１の開始サブフレームセットおよび第２の開始サブフレームセットのうちの少なくとも一方において、第１の開始サブフレームセットまたは第２の開始サブフレームセットから、所定の数のサブフレームごとに１つのサブフレームを選ぶことによって、開始サブフレームサブセットを構築することが好ましい。
【００８４】
例えば、図７の中段においては、開始サブフレームセットから４つのサブフレームごとに１つのサブフレームを選ぶことによって、開始サブフレームサブセットが構築されており、図７の下段においては、開始サブフレームセットから２つのサブフレームごとに１つのサブフレームを選ぶことによって、開始サブフレームサブセットが構築されている。
【００８５】
しかしながら、開始サブフレームセットの構築は、上記の方法に限定されず、任意の適切な方法を使用できることに留意されたい。例えば、開始サブフレームセットの中の複数の連続する開始サブフレーム候補を、１つのサブセット用に選び、それに続く複数の連続する開始サブフレーム候補を、別のサブセット用に選ぶことができる。
【００８６】
例えば、図７の上段に示した開始サブフレームセットの場合、インデックス０，１００，２００，３００のサブフレームを、１つの開始サブフレームサブセットに入れ、インデックス４００，５００，６００，７００のサブフレームを、別の開始サブフレームサブセットに入れることができる。本開示は、開始サブフレームサブセットの特定の分割方法によって制限されない。
【００８７】
これに加えて、それぞれ開始サブフレームサブセットに対応するユーザ機器セットを、ユーザ機器のユーザ機器ＩＤによって決定する、または、物理層シグナリングまたは上位層シグナリング（例えばＲＲＣシグナリングやＭＡＣシグナリング）などのシグナリングによって設定することが好ましい。
【００８８】
ここで、ユーザ機器ＩＤとは、ユーザ機器を識別する任意の識別子を意味し、好ましくは、ユーザ機器に固有なＲＮＴＩ（無線ネットワーク一時識別子）であり、ただしこれに限定されない。
【００８９】
それぞれ開始サブフレームサブセットに対応するユーザ機器セットをユーザ機器ＩＤによって決定する処理の一例として、次の式（４）を使用することができる。
【００９０】
ｍｏｄ（ｎsubframe−Ｐ＊ｍｏｄ（ｎＲＮＴＩ，Ｎｓ），Ｎｓ＊Ｐ）＝０    ・・・（４）
この式において、ｎＲＮＴＩは、ユーザ機器に固有なＲＮＴＩであり、Ｎｓは、１つの開始サブフレームセットが対象とするユーザ機器セットの数または開始サブフレームサブセットの数であり、ｎｓｕｂｆｒａｍｅおよびＰは、式（１）の場合と同じ意味である。
【００９１】
式（４）によると、特定のユーザ機器のｎＲＮＴＩが与えられたとき、その特定のユーザ機器のための開始サブフレーム候補のサブフレームインデックスｎｓｕｂｆｒａｍｅを決定することができる。その特定のユーザ機器のための決定された開始サブフレーム候補は、その特定のユーザ機器が属するユーザ機器セットに専用である開始サブフレームサブセットを構成し、そのユーザ機器セットの中の他のユーザ機器は、ｍｏｄ（ｎＲＮＴＩ，Ｎｓ）の結果がその特定のユーザ機器と同じであるユーザ機器である。
【００９２】
それぞれ開始サブフレームサブセットに対応するユーザ機器セットをシグナリングによって設定する処理の一例として、次の式（５）を使用することができる。
【００９３】
ｍｏｄ（ｎｓｕｂｆｒａｍｅ−Ｘ＊Ｐ，Ｎｓ＊Ｐ）＝０    ・・・（５）
この式において、Ｘは、ユーザ機器セットのインデックスを表し、Ｘ＝０，１，・・・，Ｎｓ−１であり、上位層シグナリングによって設定することができる。式（５）に基づき、インデックスＸを有する特定のユーザ機器セットを対象とする、開始サブフレーム候補のサブフレームインデックスを決定することができ、決定された開始サブフレーム候補は、その特定のユーザ機器セットを対象とする開始サブフレームサブセットを構成する。
【００９４】
この第２の実施形態によると、各ユーザ機器は、自身に専用の開始サブフレームサブセットの中の開始サブフレーム候補を検出するのみでよいため、各ユーザ機器のブラインド検出回数が減少する。
【００９５】
（第３の実施形態）
本開示の第３の実施形態は、セル間干渉をランダム化する目的で第１の実施形態または第２の実施形態をさらに改善するものであり、第１の実施形態および第２の実施形態に関する説明すべては、特に明記していない限り、第３の実施形態にも適用することができる。
【００９６】
複数の異なるセルを対象とする開始サブフレームセットまたは開始サブフレームサブセットが同じであるときには、異なるセル（特に隣り合うセル）間の干渉の確率は、それら異なるセルの間に重なりが存在する場合に高いことがあり、なぜなら、それら異なるセルの中の同じユーザ機器には、たいていの場合に同じサブフレームを使用して（Ｅ）ＰＤＣＣＨが送信されるためである。
【００９７】
したがって、この第３の実施形態においては、セル間干渉をランダム化する目的で、開始サブフレームセットもしくは開始サブフレームサブセットまたはその両方が、セルに固有である、すなわち、開始サブフレームセットもしくは開始サブフレームサブセットまたはその両方が、セルごとに異なる。
【００９８】
第１の実施形態または第２の実施形態を改善する最初の例として、第１の繰り返し回数もしくは第２の繰り返し回数またはその両方に関して、特定のセルに対応する開始サブフレームセットと、好ましくはその特定のセルと干渉する隣接セルである別のセルに対応する開始サブフレームセットとが異なる。
【００９９】
このとき、２つの開始サブフレームセットが異なるとみなされるのは、２つのセットのうちの一方の開始サブフレームセットの中の少なくとも１つのサブフレームのサブフレームインデックスが、２つのセットのうちの他方の開始サブフレームセットの中のいずれのサブフレームのサブフレームインデックスとも異なる場合である。
【０１００】
第２の実施形態を改善する２番目の例として、第１の開始サブフレームセットもしくは第２の開始サブフレームセットまたはその両方に関して、特定のセルに対応する開始サブフレームサブセットそれぞれは、好ましくはその特定のセルと干渉する隣接セルである別のセルに対応する開始サブフレームサブセットのいずれとも異なる。
【０１０１】
このとき、２つの開始サブフレームサブセットが異なるとみなされるのは、２つのサブセットのうちの一方の開始サブフレームサブセットの中の少なくとも１つのサブフレームのサブフレームインデックスが、２つのサブセットのうちの他方の開始サブフレームサブセットの中のいずれのサブフレームのサブフレームインデックスとも異なる場合である。
【０１０２】
例えば、図８は、この第３の実施形態による、（Ｅ）ＰＤＣＣＨの繰り返しを送信するための例示的なサブフレーム割当てを示している。
【０１０３】
上段は、開始サブフレームセットであり、このセットの中の開始サブフレーム候補は、インデックス０，１００，２００，３００，４００，５００，６００，７００，・・・のサブフレームであり、考慮する２つのセル（セル１およびセル２）にこの同じ開始サブフレームセットが適用されるものと想定する。
【０１０４】
中段は、セル１を対象とする開始サブフレームサブセットの分割を示しており、下段は、セル２を対象とする開始サブフレームサブセットの分割を示している。
【０１０５】
この図に示したように、セル１を対象として、開始サブフレームサブセット＃１は、インデックス０，４００，・・・のサブフレームを含み、開始サブフレームサブセット＃２は、インデックス１００，５００，・・・のサブフレームを含み、開始サブフレームサブセット＃３は、インデックス２００，６００，・・・のサブフレームを含み、開始サブフレームサブセット＃４は、インデックス３００，７００，・・・のサブフレームを含む。
【０１０６】
その一方で、セル２を対象として、開始サブフレームサブセット＃１は、インデックス０，７００，・・・のサブフレームを含み、開始サブフレームサブセット＃２は、インデックス１００，６００，・・・のサブフレームを含み、開始サブフレームサブセット＃３は、インデックス２００，５００，・・・のサブフレームを含み、開始サブフレームサブセット＃４は、インデックス３００，４００，・・・のサブフレームを含む。
【０１０７】
明らかに、セル１を対象とする開始サブフレームサブセットのそれぞれは、セル２を対象とする開始サブフレームサブセットのいずれとも異なる。この例によると、開始サブフレームサブセットのうちの１つに対応するサブフレームは、異なるセルにおいてつねに同じであることはなく、これによりセル間干渉がランダム化され、セル間干渉の確率が減少する。
【０１０８】
例えば、図８に示したように、あるユーザ機器セットに対応する開始サブフレームサブセット＃１の場合、インデックス０のサブフレームにおいては、セル１とセル２が互いに干渉しうるが、次の開始サブフレームになると、セル１とセル２は互いに干渉せず、なぜなら、セル１およびセル２のための次の開始サブフレームは、それぞれ、異なるインデックス４００およびインデックス７００のサブフレームであるためである。
【０１０９】
なお、この第３の実施形態の上記の最初の例および２番目の例は、個別に実施する、または組み合わせて実施できることに留意されたい。
【０１１０】
数学的には、この第３の実施形態は、例えば次のように式（６）によって表すことができる。
【０１１１】
ｍｏｄ（ｎｓｕｂｆｒａｍｅ＋ｆ（ｎｃｅｌｌ＿ＩＤ），Ｐ）＝０    ・・・（６）
この式において、ｎｃｅｌｌ＿ＩＤはセルインデックスであり、ｆ（ｎｃｅｌｌ＿ＩＤ）は、セルに固有なオフセットを表しており、ｎｃｅｌｌ＿ＩＤの関数である。ｆ（ｎｃｅｌｌ＿ＩＤ）は、例えば、ｎｃｅｌｌ＿ＩＤ＝１に対して０、ｎｃｅｌｌ＿ＩＤ＝２に対して１０とすることができる。
【０１１２】
ｆ（ｎｃｅｌｌ＿ＩＤ）は、実際の用途に基づいて設定することができる。式（６）に基づいて得られる開始サブフレームセットは、セルに固有であることがわかる。
【０１１３】
開始サブフレームセットが、ユーザ機器セットに固有な開始サブフレームサブセットに分割される場合、これらの開始サブフレームサブセットは次のように式（７）または式（８）によって得ることができる。
【０１１４】
ｍｏｄ（ｎｓｕｂｆｒａｍｅ−Ｐ＊ｍｏｄ（ｎＲＮＴＩ＋ｆ，Ｎｓ），Ｎｓ＊Ｐ）＝０    ・・・（７）
【０１１５】
ｍｏｄ（ｎｓｕｂｆｒａｍｅ−ｍｏｄ（Ｘ＋ｆ，Ｎｓ）＊Ｐ，Ｎｓ＊Ｐ）＝０    ・・・（８）
この式において、ｆは、セルに固有なオフセットであり、好ましくは
【０１１６】
【数２】
2018160930.tif 000005
またはｆ＝Ｙであり、Ｙは、ｅＮＢによって決定されてユーザ機器にシグナリングされる。
【０１１７】
他のパラメータは、これまでの式の場合と同じ意味である。式（７）または式（８）から理解できるように、開始サブフレームサブセットは、ユーザ機器セットに固有であるのみならず、セルに固有でもある。
【０１１８】
この第３の実施形態によると、セル間干渉がランダム化され、セル間干渉の確率が減少する。
【０１１９】
（第４の実施形態）
第１〜第３の実施形態では、（Ｅ）ＰＤＣＣＨの多数の繰り返しのための多数のサブフレームを選択する方法について説明してきた。第４の実施形態では、（Ｅ）ＰＤＣＣＨの１つの繰り返しを１つのサブフレームにマッピングする方法について説明する。なお、第４の実施形態は、独立して実施する、または第１〜第３の実施形態の１つと組み合わせて実施できることに留意されたい。
【０１２０】
各サブフレームにおいて、（Ｅ）ＰＤＣＣＨの１つの繰り返しが送信される。１つのサブフレームの中には複数の（Ｅ）ＣＣＥセットを確保することができ、（Ｅ）ＣＣＥセットそれぞれにおいて（Ｅ）ＰＤＣＣＨの１つの繰り返しを送信することができる。
【０１２１】
ここで、（Ｅ）ＣＣＥセットとは、任意の１つまたは複数の（Ｅ）ＣＣＥのセットを意味する。（Ｅ）ＣＣＥセットは、非特許文献２に定義されている（Ｅ）ＣＣＥ候補を意味し、ただしこれに限定されない。１つの（Ｅ）ＣＣＥセットを使用して、１基のユーザ機器への（Ｅ）ＰＤＣＣＨを送信する。
【０１２２】
したがって、１基のユーザ機器への（Ｅ）ＰＤＣＣＨの１つの繰り返しのための（Ｅ）ＣＣＥセットは、ユーザ機器に固有であるように決定される。
【０１２３】
例えば、（Ｅ）ＣＣＥセットの数Ｍは、次の式（９）または式（１０）によって求めることができる。
【０１２４】
【数３】
2018160930.tif 000006
【数４】
2018160930.tif 000007
これらの式において、ＮＣＣＥは、制御領域における利用可能な（Ｅ）ＣＣＥの総数であり、Ｌは、（Ｅ）ＰＤＣＣＨの繰り返しのアグリゲーションレベル（aggregation level）である。ＰＤＣＣＨの場合、共通サーチスペースのための１６個のＣＣＥを確保する必要がある。
【０１２５】
図９は、複数の異なるユーザ機器を対象とする、サブフレームおよび（Ｅ）ＣＣＥセットの割当ての例を示している。この例では、１つのサブフレームの中に、（Ｅ）ＰＤＣＣＨを送信するための２つの（Ｅ）ＣＣＥセットのみを例示的に示している。（Ｅ）ＰＤＣＣＨを送信するための１つの（Ｅ）ＣＣＥセットを、１基のユーザ機器に対応させることができる。
【０１２６】
例えば、図９に示したように、ユーザ機器＃１およびユーザ機器＃５は同じサブフレームを占有しているが、これらのユーザ機器には、（Ｅ）ＰＤＣＣＨを送信するための異なる（Ｅ）ＣＣＥセット（（Ｅ）ＣＣＥセット１または（Ｅ）ＣＣＥセット２）を割り当てることができ、したがって、リソースがブロックされるのを回避または減少させることができる。
【０１２７】
１つのサブフレームにおいてＰＤＣＣＨまたはＥＰＤＣＣＨの１つの繰り返しをユーザ機器に送信するための（Ｅ）ＣＣＥセットは、そのユーザ機器のユーザ機器ＩＤ（例えばユーザ機器に固有なＲＮＴＩ）によって決定する、または上位層シグナリングによって設定することが好ましい。
【０１２８】
例えば、ユーザ機器のための（Ｅ）ＣＣＥセットは、次の式（１１）によって決定することができる。
【０１２９】
ｍ＝ｍｏｄ（ｎＲＮＴＩ，Ｍ）    ・・・（１１）
この式において、ｍは、ユーザ機器に固有なＲＮＴＩであるｎＲＮＴＩを有するユーザ機器のための（Ｅ）ＣＣＥセットのインデックスであり、Ｍは、１つのサブフレームの中の（Ｅ）ＣＣＥセットの数である。
【０１３０】
別の例として、特定のユーザ機器に（Ｅ）ＰＤＣＣＨを送信するための（Ｅ）ＣＣＥセットのインデックスｍ（ただし、ｍ＝０，１，・・・，Ｍ−１）の情報を、上位層シグナリングによって設定することができる。
【０１３１】
この第４の実施形態の上の例においては、（Ｅ）ＰＤＣＣＨの１つの繰り返し周期内の（Ｅ）ＰＤＣＣＨの繰り返しに使用される（Ｅ）ＣＣＥセットのインデックスは、同じインデックス、または異なるインデックスとすることができ、１つの繰り返し周期は、繰り返し回数ｒの繰り返しレベルの場合、１つのＤＣＩを伝えるｒ回の繰り返しを含む。
【０１３２】
さらに別の例として、（Ｅ）ＰＤＣＣＨの１つの繰り返し周期内で、１基のユーザ機器への（Ｅ）ＰＤＣＣＨの繰り返しに使用される（Ｅ）ＣＣＥセットのインデックスは同じであるが、（Ｅ）ＰＤＣＣＨの別の繰り返し周期内では、１基のユーザ機器への（Ｅ）ＰＤＣＣＨの繰り返しに使用される（Ｅ）ＣＣＥセットのインデックスが異なる。この方法を使用することで、ユーザ機器の間でリソースのブロックがランダム化される。
【０１３３】
例えば、上述の方法によると、ユーザ機器＃１およびユーザ機器＃２への（Ｅ）ＰＤＣＣＨのための（Ｅ）ＣＣＥセットのインデックスが繰り返し周期＃１内で同じであるとき、繰り返し周期＃２内では、ユーザ機器＃１およびユーザ機器＃２への（Ｅ）ＰＤＣＣＨのための（Ｅ）ＣＣＥセットのインデックスが異なるようにすることができ、これによりリソースがブロックされる状況が減少する。
【０１３４】
１基の特定のユーザ機器に（Ｅ）ＰＤＣＣＨを送信するための（Ｅ）ＣＣＥセットは、サブフレームのインデックスまたはフレームのインデックスによって決定することが好ましい。例えば、ＭＴＣ−ＰＤＣＣＨＳｑ（Ｌ）に対応するＣＣＥのインデックスは、次の式（１２）によって与えられる。
【０１３５】
【数５】
2018160930.tif 000008
この式において、Ｌはアグリゲーションレベルであり、ｉ＝０，・・・，Ｌ−１であり、ｔは６以下の正の整数であり、ＮＣＣＥは、制御領域におけるＣＣＥの総数であり、変数Ｙｑは、次式によって定義される。
【０１３６】
Ｙｑ＝（Ａ・Ｙｑ−１）ｍｏｄＤ    ・・・（１３）
この式において、Ｙ−１＝ｎＲＮＴＩ≠０、Ａ＝３９８２７、Ｄ＝６５５３７であり、ｎＲＮＴＩはユーザ機器に固有なパラメータである。ｑは、以下の方法のいずれかによって決定することができる。
【０１３７】
ｑ＝ＳＦＮ（ＳＦＮは開始サブフレームのフレーム番号）
または、
【０１３８】
【数６】
2018160930.tif 000009
（ｎｓｕｂｆｒａｍｅは１ＳＦＮ周期内のサブフレームインデックス、ｒは繰り返し回数）
【０１３９】
この第４の実施形態によると、１つのサブフレームにおいて（Ｅ）ＰＤＣＣＨの１つの繰り返しを送信するための（Ｅ）ＣＣＥセットは、ユーザ機器に固有であるように決定される。
【０１４０】
（第５の実施形態）
本開示の第５の実施形態は、リソースがブロックされる確率をさらに減少させてリソースの使用率を高める目的で、第２の実施形態または第３の実施形態をさらに改善する。第１〜第３の実施形態に関する説明すべては、特に明記していない限り、第５の実施形態にも適用することができる。
【０１４１】
第２の実施形態では、（Ｅ）ＰＤＣＣＨの開始サブフレームを、ユーザ機器に固有である開始サブフレームのサブセットに制限することができる。第５の実施形態では、各サブフレームにおいて、同様にユーザ機器に固有であるように選択される（Ｅ）ＣＣＥセットにおいて（Ｅ）ＰＤＣＣＨは送信される。開始サブフレームサブセットおよび（Ｅ）ＣＣＥセットの決定は、少なくとも１つの共通パラメータに基づく。
【０１４２】
この第５の実施形態においては、複数の異なるサブフレームにおいて同じインデックスのＣＣＥセットまたはＥＣＣＥセットにおいてＰＤＣＣＨまたはＥＰＤＣＣＨの繰り返しを受信するユーザ機器には、すべてのユーザ機器セットの中のユーザ機器のうち、それぞれ特定の開始サブフレームサブセットに対応するユーザ機器が含まれることが好ましい。
【０１４３】
次の表２は、具体的な例を示している。例えば、表２から理解できるように、ユーザ機器＃４，＃５，＃６，＃７は、同じ（Ｅ）ＣＣＥセットのインデックス（すなわち２）を共有しており、これらのユーザ機器には、すべてのユーザ機器セットの中のユーザ機器のうち、それぞれインデックス１〜４の開始サブフレームサブセットに対応するユーザ機器が含まれ、すなわち、ユーザ機器＃４はインデックス１の開始サブフレームサブセットに対応しており、ユーザ機器＃５はインデックス２の開始サブフレームサブセットに対応しており、ユーザ機器＃６はインデックス３の開始サブフレームサブセットに対応しており、ユーザ機器＃７はインデックス４の開始サブフレームサブセットに対応している。
【０１４４】
このようにすることで、同じ（Ｅ）ＣＣＥセットインデックスが割り当てられているユーザ機器に、異なる開始サブフレームサブセットを割り当てることができ、同じ開始サブフレームサブセットが割り当てられているユーザ機器に、異なる（Ｅ）ＣＣＥセットインデックスを割り当てることができる。
【０１４５】
表２に示したように、同じ（Ｅ）ＣＣＥセットインデックス２が割り当てられているユーザ機器＃４，＃５，＃６，＃７には、それぞれ、インデックス１，２，３，４の異なる開始サブフレームサブセットが割り当てられており、その一方で、同じインデックス２の開始サブフレームサブセットが割り当てられているユーザ機器＃１，＃５，＃９，＃１３，・・・に、異なる（Ｅ）ＣＣＥセットインデックス１，２，３，４，・・・が割り当てられている。
【０１４６】
したがって、この第５の実施形態によると、リソースがブロックされる確率が大きく減少し、さらにｅＮＢは、（Ｅ）ＰＤＣＣＨの繰り返しの送信をより容易にスケジューリングすることができる。
【０１４７】
【表２】
2018160930.tif 000010
【０１４８】
この第５の実施形態によると、ユーザ機器を対象とする開始サブフレームサブセットおよび（Ｅ）ＣＣＥセットを決定する方法は、以下の例によって数学的に表すことができる。
【０１４９】
最初の例では、開始サブフレームサブセットを、第２の実施形態において説明したように式（４）によって決定することができ、１つのサブフレームの中の（Ｅ）ＣＣＥセットのインデックスを、次の式（１４）によって決定することができる。
【０１５０】
【数７】
2018160930.tif 000011
この式において、ｍは、ユーザ機器に固有なＲＮＴＩであるｎＲＮＴＩを有するユーザ機器のための（Ｅ）ＣＣＥセットのインデックスであり、Ｍは、１つのサブフレームの中の（Ｅ）ＣＣＥセットの数であり、Ｎｓは、１つの開始サブフレームセットが対象とするユーザ機器セットの数または開始サブフレームサブセットの数である。
【０１５１】
２番目の例では、開始サブフレームサブセットを、第２の実施形態において説明したように式（５）によって決定することができ、１つのサブフレームの中の（Ｅ）ＣＣＥセットのインデックスを、式（１４）によって決定することができる。
【０１５２】
この第５の実施形態によると、リソースがブロックされる確率が大きく減少し、さらに、ｅＮＢは（Ｅ）ＰＤＣＣＨの繰り返しの送信を、より容易にスケジューリングすることができる。
【０１５３】
ここまでに説明した実施形態は、特に明記していない限り、個別に実施する、または組み合わせて実施できることに留意されたい。
【０１５４】
本発明は、ソフトウェアによって、ハードウェアによって、またはハードウェアと協働するソフトウェアによって、実施することができる。上に記載した各実施形態の説明において使用される各機能ブロックは、集積回路としてＬＳＩによって実施することができる。
【０１５５】
これらの機能ブロックは、個別にチップとして形成する、または、機能ブロックの一部またはすべてが含まれるように１個のチップを形成することができる。このとき、ＬＳＩは、集積度の違いに応じて、ＩＣ、システムＬＳＩ、スーパーＬＳＩ、またはウルトラＬＳＩとも称される。しかしながら、集積回路を実施する技術は、ＬＳＩに限定されず、専用回路または汎用プロセッサを使用することによって実施することができる。
【０１５６】
さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブルプロセッサを使用することもできる。
【０１５７】
さらに、各機能ブロックの計算は、計算手段（例えばＤＳＰやＣＰＵなど）を使用することによって実行することができ、各機能の処理ステップを、実行用プログラムとして記録媒体に記録することができる。さらには、半導体技術または他の派生技術の進歩によって、集積回路を実施する技術としてＬＳＩに代わる技術が登場したときには、当然ながら、そのような技術を使用することによって機能ブロックを集積化することができる。
【０１５８】
なお、本発明は、本明細書に提示した説明および公知の技術に基づき、本発明の内容および範囲から逸脱することなく、当業者によってさまざまな変更や修正が行われるように意図されており、そのような変更および修正は、「特許請求の範囲」に記載された保護範囲内であることに留意されたい。さらには、本発明の内容から逸脱しない範囲内で、上に説明した実施形態の構成要素を任意に組み合わせることができる。
【図１】
2018160930.tif 000013
【図２】
2018160930.tif 000014
【図３】
2018160930.tif 000015
【図４】
2018160930.tif 000016
【図５】
2018160930.tif 000017
【図６】
2018160930.tif 000018
【図７】
2018160930.tif 000019
【図８】
2018160930.tif 000020
【図９】
2018160930.tif 000021